(57)【要約】【課題】搭載されるノート型パソコン等の電子機器の小型化に伴って小型化の要求を充分に実現することが可能な光ディスク装置及び電子機器を提供することを目的とする。【解決手段】筐体２とトレイは、光ディスク９の回転中心１０からベゼル８側の長さは光ディスク９が収納されるように光ディスク９の半径よりやや長めに設定されているが、光ディスク９の回転中心１０から後方側の長さは光ディスク９の半径より短く、後方側においては光ディスク９が筐体２及びトレイから露出している。  回転駆動手段への電力供給や信号の入出力のための接続線１３の端部が筐体２から露出しており、この接続線１３の端部に光ディスク装置を制御するための制御基板１２が接続される。また、制御基板１２にはコネクタ１１が設けられており、コネクタ１１によって光ディスク装置はパーソナルコンピュータ等の電子機器に取り付けられる。【選択図】図１
2005196909.tif 000002
【特許請求の範囲】
【請求項１】
光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備えた光ディスク装置において、光ディスクを装着したときに前記光ディスクの一部が筐体及びトレイの後方側で前記筐体及びトレイから露出するように筐体とトレイが形成されていることを特徴とする光ディスク装置。
【請求項２】
光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備えた光ディスク装置において、前記トレイは光ディスクを装着したときに光ディスクの一部がトレイの後方側から突出するよう形成され、この光ディスクの突出部分を収納する筐体突出部を前記筐体の後方に設けたことを特徴とする光ディスク装置。
【請求項３】
前記光ピックアップモジュールへの電力の供給もしくは信号の入出力の少なくとも一方を行う接続線の端部が前記筐体の後方側から露出していることを特徴とする請求項１または請求項２記載の光ディスク装置。
【請求項４】
前記接続線の端部に、光ディスクの制御基板を取り付けたことを特徴とする請求項１または請求項２記載の光ディスク装置。
【請求項５】
請求項１から請求項４までのいずれかに記載の光ディスク装置が装着され、光ディスク装置の筐体から光ディスクが露出した部分または筐体突出部は、光ディスクの制御基板と上下方向に対向するように配置されたことを特徴とする電子機器。
【発明の詳細な説明】
【技術分野】
【０００１】
本発明は光ピックアップにより光ディスクの情報を記録再生する光ディスク装置と、この光ディスク装置を装着した電子機器に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置の斜視図を図６に示す。
【０００４】
図６において、１は光ディスク装置で、光ディスク装置１は、筐体２と、筐体２に出没自在に保持されたトレイ３とを有している。筐体２は、金属製の天部２ａ、底部２ｂを組み合わせて袋状であり、筐体２の開口からトレイ３が出没する構成となっている。トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。なお、図６では一方の側部にのみレール３ａが設けられているが、他方の側部に同様のレールが設けられていてもよい。
【０００５】
天部２ａと底部２ｂとは図示していない係止手段と螺旋などを用いて、互いに強固に固定されている。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、天部２ａ及び底部２ｂそれぞれ同種の材料で構成しても良いし、異種の材料で構成しても良い。また、天部２ａ及び底部２ｂそれぞれの主平面部の平均肉厚は０．３ｍｍ〜１．６ｍｍの間であり、この平均肉厚の比較的薄い場合には天部２ａ及び底部２ｂは金属材料で構成され、例えば、金属板をプレス加工などによって形成される。また、平均肉厚の比較的厚い場合には天部２ａ及び底部２ｂはダイカスト（アルミ，マグネシウム合金など）で構成される。
【０００６】
光ピックアップモジュール４には光ディスク９を回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源，各種光学部材及び光ディスク９上に光スポットを構成する対物レンズなどが搭載されている。
【０００８】
図７に、従来の光ディスク装置においてトレイ３が筐体２に収納された状態での平面図を示し、図８に同内部を平面的に示す。また、図９に同トレイ３を筐体２から引き出した状態での平面図を示す。１１は光ディスク装置１をパーソナルコンピュータ等の電子機器に取り付けるためのコネクタであり、１２は光ディスク装置１を駆動するための制御基板である。制御基板１２は筐体２内において、光ディスク９が装着されたときに光ディスク
９の下側に内蔵されている。
【０００９】
従来のノート型パソコン内蔵用光ディスク装置は、高さが１２．７ｍｍのものが主流となっており、このタイプの光ディスク装置では幅１２８ｍｍ、奥行き１２７ｍｍの投影面積を占有する。最近では高さが９．５ｍｍの光ディスク装置が登場し、これに伴って、それまでＡ４サイズのノート型パソコンにしか搭載されなかった光ディスク装置がＢ５サイズのノート型パソコンにも搭載されるようになり、今後はさらに光ディスク装置の小型化の要求が強まることが予想される。
【００１０】
光ディスク装置の小型化を図ったものとして、（特許文献１）記載のものがある。
【特許文献１】特許第２９５６４７０号公報
【発明の開示】
【発明が解決しようとする課題】
【００１１】
しかし、この光ディスク装置によっても、削減できる投影面積には限度があり、上述したような小型化の要求を充分に満たすことはできない。
【００１２】
本発明は、上記の課題を解決するためになされたもので、搭載されるノート型パソコン等の電子機器の小型化に伴って小型化の要求を充分に実現することが可能な光ディスク装置を提供することを目的とする。
【課題を解決するための手段】
【００１３】
本発明は、上記の課題を解決するためになされたもので、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備えた光ディスク装置において、光ディスクを装着したときに前記光ディスクの一部が筐体及びトレイの後方側で前記筐体及びトレイから露出するように筐体とトレイが形成されていることを特徴とする光ディスク装置である。
【００１４】
筐体とトレイをこのように形成することにより、光ディスク装置を電子機器に装着したときの光ディスク装置の占有面積を小さくすることができるとともに軽量化が可能であり、電子機器の小型化に対応した光ディスク装置を実現することができる。
【発明の効果】
【００１５】
本発明によると、光ディスク装置を電子機器に装着したときの光ディスク装置の占有面積を小さくすることができるとともに軽量化が可能であるため、電子機器の小型化に対応した光ディスク装置を実現することができる。
【発明を実施するための最良の形態】
【００１６】
本発明の請求項１記載の発明は、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備えた光ディスク装置において、光ディスクを装着したときに前記光ディスクの一部が筐体及びトレイの後方側で前記筐体及びトレイから露出するように筐体とトレイが形成されていることを特徴とする光ディスク装置である。
【００１７】
筐体とトレイをこのように形成することにより、光ディスク装置を電子機器に装着したときの光ディスク装置の占有面積を小さくすることができるとともに軽量化が可能であり、電子機器の小型化に対応した光ディスク装置を実現することができる。
【００１８】
本発明の請求項２記載の発明は、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備えた光ディスク装置において、前記トレイは光ディスクを装着したときに光ディスクの一部がトレイの後方側から突出するよう形成され、この光ディスクの突出部分を収納する筐体突出部を前記筐体の後方に設けたことを特徴とする光ディスク装置によって、トレイを筐体に収納したときの筐体の密閉性を維持しつつ、光ディスク装置を電子機器に装着したときの光ディスク装置の占有面積を小さくすることができるとともに軽量化が可能であり、電子機器の小型化に対応した光ディスク装置を実現することができる。
【００１９】
本発明の請求項３記載の発明は、請求項１または請求項２記載の光ディスク装置において、前記光ピックアップモジュールへの電力の供給もしくは信号の入出力の少なくとも一方を行う接続線の端部が前記筐体の後方側から露出していることを特徴とする。この光ディスク装置は占有面積を小さくするために筐体内に光ディスクを駆動するための制御基板を内蔵していないが、接続線の端部に光ディスクを駆動するための制御基板を取り付けられるようにしたことによって、外付けの制御基板によって光ディスク装置を制御することができる。
【００２０】
本発明の請求項４記載の発明は、請求項１または請求項２記載の光ディスク装置において、前記接続線の端部に、光ディスクの制御基板を取り付けたことを特徴とする。占有面積の小さい光ディスク装置をこの形態で直接電子機器に装着することができ、電子機器の小型化に対応した光ディスク装置を実現することができる。
【００２１】
本発明の請求項５記載の発明は、請求項１から請求項４までのいずれかに記載の光ディスク装置が装着され、光ディスク装置の筐体から光ディスクが露出した部分または筐体突出部は、光ディスクの制御基板と上下方向に対向するように配置されたことを特徴とする電子機器であり、電子機器内での光ディスク装置の占有面積が小さいため、電子機器の小型化が可能となる。
【００２２】
（実施の形態１）
以下、本発明における光ディスク装置の実施の形態１について説明する。
【００２３】
図１に、本発明の実施の形態の光ディスク装置においてトレイ３が筐体２に収納された状態での平面図を示し、図２にその内部を平面的に示す図である。また、図３に同トレイ３を筐体２から引き出した状態での平面図を示す。
【００２４】
図１、図２、図３において、筐体２は天部２ａと底部２ｂから構成されている。トレイ３にはピックアップモジュール４とベゼル８が設けられている。光ピックアップモジュール４には光学系を構成した光ピックアップ４ａと光ディスク９を回転させるスピンドルモータ５及び制御回路を構成する回路基板（図示せず）が構成されている。スピンドルモータ５にはディスク装着部５ａがあり、ディスクを装着し回転駆動させる。光ピックアップモジュール４の光ディスク９に対向する部分にはカバー６が設けられている。カバー６に設けられた開口６ａからは、光ピックアップ４ａが表出するとともに、スピンドルモータ５のディスク装着部５ａが突出している。トレイ３の両側部にはレール保持部３ｂがあり
、両側部共にレール３ａとディスク引き出し方向に摺動自在に嵌合している。また、レール３ａは筐体２両側部内面に設けられたレールガイド２ｃともディスク引き出し方向に摺動自在に嵌合しており、トレイ３は筐体２からディスクが着脱できるよう引き出すことが出来る。トレイ３を筐体２に収納した状態では、ベゼル８が筐体２のトレイ引き出し口２ｄを塞ぐ様に構成されている。
【００２５】
本実施の形態においては、筐体２とトレイ３は、光ディスク９の回転中心１０からベゼル８側、すなわち前方側の長さは通常の光ディスク装置と同様に、光ディスク９が収納されるように搭載できる最大径の光ディスク９の半径よりやや長めに設定されているが、光ディスク９の回転中心１０から後方側の長さは搭載できる最大径の光ディスク９の半径より短い。筐体２のトレイ３引き出し方向の長さは、トレイ３を筐体２に収納時においてトレイ３を収納できるよう設定されているが、このときトレイ３の後方側端部と筐体２の対向面との距離は極力小さくなるよう設定されている。また、後方側においては、搭載できる最大径の光ディスク９を装着したトレイ３を収納した際に光ディスク９が筐体２から露出できるように筐体２の後方部２ｅには貫通孔２ｆが設けられている。その結果、搭載できる最大径の光ディスク９はトレイ３から露出するとともに、搭載できる最大径の光ディスク９を装着したトレイ３を筐体２に収納すると、光ディスク９の一部が筐体２から露出する。一般的な光ディスク９の半径は６０ｍｍであるため、光ディスク９の回転中心１０から後方側の長さは６０ｍｍ未満となるように設定する。
【００２６】
この光ディスク装置１においては、光ピックアップモジュール４に電力を供給し信号の入出力を行う接続線１３の端部が筐体２から露出しており、この接続線１３の端部に光ディスク装置１をドライブするための制御基板１２が接続される。この接続線１３はフレキシブルケーブルが用いられ、フレキシブルプリントケーブルやフレキシブルフラットケーブルが好適に使用される。接続線１３の一部は筐体２の底部２ｂに接着等により固定されている。本実施の形態では、図３において接続線１３の斜線Ａに示す部分が筐体２の底部２ｂに接着剤や両面テープ等により固定されている。
【００２７】
接続線１３の一端は、光ピックアップモジュール４やトレイ３に設けられた制御基板２４に接続されており、他端が制御基板１２に接続されている。接続線１３の制御基板１２に接続する側は、筐体２の後方部２ｅや後方部２ｅ近傍に設けられた貫通孔２ｆを通って、筐体外に露出している。接続線１３を筐体外に露出させる位置は、光ディスク装置１の厚み方向底部２ｂ寄りであることが望ましい。こうすることによって、接続した制御基板１２が光ディスク９に接触する可能性をより低減することができる。
【００２８】
なお接続線１３の制御基板１２の側端部を筐体２の後方部２ｅに筐体２を貫通して設けたコネクタに結線し、制御基板１２は筐体２の外側からこのコネクタに接続することで結線するものであっても良い。
【００２９】
制御基板１２にはコネクタ１１が設けられており、コネクタ１１によって光ディスク装置１はパーソナルコンピュータ等の電子機器に取り付けられる。
【００３０】
本実施の形態においては、制御基板１２を筐体２内に設けずに、筐体２から露出した接続線１３に制御基板１２を接続するという構成によって、筐体２及びトレイ３の後方側の長さを著しく短くすることができ、光ディスク９の小型化を実現できる。なお、制御基板１２の回路を分割し、一部の回路を構成する基板を筐体２内に設け、残りの部分を別基板として筐体２から露出した接続線１３に接続し、制御回路を構成するものであっても良い。これによっても、筐体２内に設ける基板を小さくすることができ、筐体２及びトレイ３の後方側の長さを短くすることができる。
【００３１】
図４に、本発明の実施の形態１に係る光ディスク装置を、電子機器の一例としてのノート型パソコンに装着したときの状況を示す図を示す。図４（ａ）は正面図、図４（ｂ）はその側面図である。
【００３２】
図４において、２１はノート型パソコン、２２は液晶ディスプレイ、２３はノート型パソコンに内蔵された基板である。光ディスク９は光ディスク装置１からその一部が露出した状態で回転して情報の記録または再生が行われるが、図４（ｂ）に示すように、光ディスク９の露出した部分は制御基板１２と上下方向に対向するように配置されているため、小型のノート型パソコンであっても、光ディスク９が回転するために必要なスペースを確保することができる。ノート型パソコンに内蔵された基板２３は制御基板１２を同一平面上に配置できるように、制御基板１２を配置できるスペース２３ａを設けている。こうすることによって、ノート型パソコン内において基板の為に必要な厚み方向のスペースを最小限にすることができるが、制御基板１２をノート型パソコンに内蔵された基板２３に対し、少なくとも一部を重ねる様に配置するものであってもよい。こうすることによって、基板全体の厚み方向の寸法は増すが、図４（ａ）における横方向の寸法は小さくできる。
【００３３】
また本実施の形態では、ノート型パソコンに内蔵された基板２３と制御基板１２を分離している為、光ディスク装置の製造時の調整、検査時は、制御基板１２を接続線１３に接続した状態で光ディスク装置単体で行うことができる。
【００３４】
なお、ノート型パソコンに内蔵された基板２３上に制御基板１２を構成しても良く、こうすることによって、ノート型パソコン内部の基板をさらに小型化することができる。この場合、製造時の調整・検査は、例えばノート型パソコンの一部と光ディスク装置１を一体で生産するなどによって行われる。
【００３５】
図５は本発明の実施の形態１に係る光ディスク装置の別の筐体の構成を示す平面図及び側面図である。本構成では、図１に示す筐体の構成で光ディスク９が露出する部分を筐体突出部２ｇによって覆っている。こうすることによって、筐体２の密閉性が確保される為、特に密閉性が要求される場合有効である。制御基板１２の配置、構成については先の実施の形態と同様である。筐体突出部２ｇは光ディスク９を回転駆動可能な裕度をもって覆うよう形状が設定されればよく、その下部にスペースを設けることが可能である。したがって先の筐体の構成と同様に、本光ディスク装置１を電子機器に搭載する際に、図４の場合と同様に筐体突出部９ｇを制御基板１２と上下方向に対向するように配置することにより、小型のノート型パソコンであっても、光ディスク９が回転するために必要なスペースを確保することができる。但し、筐体突出部２ｇを設けた場合、光ディスク９と筐体突出部２ｇの空間及び筐体の肉厚分の確保が必要であるため、制御基板１２の配置の為のスペースは小さくなる。
【産業上の利用可能性】
【００３６】
本発明は光ピックアップにより光ディスクの情報を記録再生する光ディスク装置と、この光ディスク装置を装着した電子機器として利用され、光ディスク装置及び電子機器の小型化が可能である。
【図面の簡単な説明】
【００３７】
【図１】本発明の実施の形態１に係る光ディスク装置においてトレイが筐体に収納された状態での平面図
【図２】本発明の実施の形態１に係る光ディスク装置においてその内部を平面的に示す図
【図３】本発明の実施の形態１に係る光ディスク装置においてトレイを筐体から引き出した状態での平面図
【図４】本発明の実施の形態１に係る光ディスク装置を、電子機器の一例としてのノート型パソコンに装着したときの状況を示す図
【図５】本発明の実施の形態１に係る光ディスク装置の別の筐体の構成を示す平面図及び側面図
【図６】従来の光ディスク装置の斜視図
【図７】従来の光ディスク装置においてトレイが筐体に収納された状態での平面図
【図８】従来の光ディスク装置においてその内部を平面的に示す図
【図９】従来の光ディスク装置においてトレイを筐体から引き出した状態での平面図
【符号の説明】
【００３８】
１    光ディスク装置
２    筐体
２ａ    天部
２ｂ    底部
２ｃ    レールガイド
２ｄ    トレイ引き出し口
２ｅ    後方部
２ｆ    貫通孔
２ｇ    筐体突出部
３    トレイ
３ａ    レール
３ｂ    レール保持部
３ｃ    開口
４    光ピックアップモジュール
４ａ    光ピックアップ
５    スピンドルモータ
５ａ    ディスク装着部
６    カバー
６ａ    開口
７    キャリッジ
８    ベゼル
９    光ディスク
１０    光ディスクの回転中心
１１    コネクタ
１２    制御基板
１３    接続線
１３ａ    腕部
１３ｂ    腕部
１３ｃ    折返し部
２１    ノート型パソコン
２２    液晶ディスプレイ
２３    ノート型パソコンに内蔵された基板
２３ａ    スペース
２４    制御基板
【図１】
2005196909.tif 000003
【図２】
2005196909.tif 000004
【図３】
2005196909.tif 000005
【図４】
2005196909.tif 000006
【図５】
2005196909.tif 000007
【図６】
2005196909.tif 000008
【図７】
2005196909.tif 000009
【図８】
2005196909.tif 000010
【図９】
2005196909.tif 000011